(57)【要約】【課題】  狭幅で塗布された接着糊を利用して、製造面や品質に影響が出ず、用紙を破損せずに剥離可能な重ね合わせシートを提供する。【解決手段】  複数の用紙１１、１２、１３が重ねられた重ね合わせシートであって、対向する２枚の用紙１１、１２の間に、２枚の用紙を接着する線糊塗布部２１と、線糊塗布部２１による接着力を弱める接着力緩和部２２を備え、線糊塗布部２１は、用紙の対向する２辺に渡って所定の幅で形成されており、接着力緩和部２２は、幅方向においては、線糊塗布部２１を覆って線糊塗布部２１より広い幅で形成され、線糊塗布部２１の長手方向においては、所定の間隔を空けて複数個所に形成されていることを特徴とする。【選択図】  図２
2015128836.tif 000002
【特許請求の範囲】
【請求項１】
複数の用紙が重ねられたシートであって、
対向する２枚の用紙の間に、当該２枚の用紙を接着する糊が線状に塗布された線糊塗布部と、当該線糊塗布部による接着力を弱める接着力緩和部と、を備え、
前記線糊塗布部は、用紙の対向する２辺に渡って所定の幅で形成されており、
前記接着力緩和部は、前記線糊塗布部の幅方向においては、前記線糊塗布部を覆って前記線糊塗布部より広い幅で形成され、線糊塗布部の長手方向においては、所定の間隔を空けて複数個所に形成されていることを特徴とする重ね合わせシート。
【請求項２】
前記線糊塗布部の長手方向において所定の間隔を空けて複数個所に形成されている前記線糊塗布部は、前記線糊塗布部の長手方向において、前記線糊塗布部の３／４以上４／５以下の比率で形成されていることを特徴とする請求項１に記載の重ね合わせシート。
【請求項３】
前記線糊塗布部と前記接着力緩和部は、前記２枚の用紙のうち、一方の用紙に形成され、他方の用紙の前記接着力緩和部と対向する位置に、目止め部が形成され、前記一方の用紙と前記他方の用紙を重ね合わせることにより形成されることを特徴とする請求項１または請求項２に記載の重ね合わせシート。
【請求項４】
前記接着力緩和部は、剥離剤が混合されたインクを塗布することにより形成されていることを特徴とする請求項１から請求項３のいずれか一項に記載の重ね合わせシート。
【請求項５】
前記線糊塗布部は、０．２４５Ｎ／ｍｍ以上の接着強度であることを特徴とする請求項１から請求項４のいずれか一項に記載の重ね合わせシート。
【発明の詳細な説明】
【技術分野】
【０００１】
本発明は、複写式帳票等の複数の用紙を重ね合わせた重ね合わせシートに関する。
【背景技術】
【０００２】
以前より、複写式の帳票などにおいて、各用紙を線糊（細幅で線状に塗布された糊）にて重ね合わせて製造する方法がとられている。製造面において、機械的な要因による糊剥がれや材料面による糊剥がれが懸念されている。しかし、機械的な要因は特許文献１に開示されているような方法で防ぐことができ、また材料面では、線糊として剥離困難な強接着力を有する強接着糊を使用することで防ぐことができる。また、複写式の配送伝票に多く見られるが、帳票類で重ね合わせに線糊を使用し、切り離す際にミシン目を使用するものの他に、銀行などで使用する申込書などには、ミシンで切り離すのではなく、線糊として剥離容易な弱接着力を有する弱接着糊が使用されているものもある。
【先行技術文献】
【特許文献】
【０００３】
【特許文献１】特開２００２−２６３５５１号公報
【発明の概要】
【発明が解決しようとする課題】
【０００４】
弱接着糊を使用する場合、強接着糊に比べると接着力が小さく、材料面において製造中の糊剥がれが生じやすい。そのため、塗布量（塗布幅）を上げる必要があり、強接着糊に比べると、やや太く塗布する必要がある。弱接着糊で糊幅を狭くしようとする場合、重ね合わせの工程では、太幅で塗布し、カット工程にて糊塗布上を裁断することにより対応することは可能である。しかし、裁断時に糊上を切るので、傾斜を懸念し少量ずつ裁断する必要があること、糊のカスが裁断刃に付着することなど製造面での作業効率や品質に影響が生じてしまう。一方、強接着糊を使用する場合、接着力が強く、用紙を破損せずに分離することが難しいという問題がある。
【０００５】
そこで、本発明は、狭幅で塗布された接着糊を利用して、製造面や品質に影響が出ず、用紙を破損せずに剥離可能な重ね合わせシートを提供することを課題とする。
【課題を解決するための手段】
【０００６】
本発明に係る重ね合わせシートは、複数の用紙が重ねられたシートであって、対向する２枚の用紙の間に、当該２枚の用紙を接着する糊が線状に塗布された線糊塗布部と、当該線糊塗布部による接着力を弱める接着力緩和部と、を備え、前記線糊塗布部は、用紙の対向する２辺に渡って所定の幅で形成されており、前記接着力緩和部は、前記線糊塗布部の幅方向においては、前記線糊塗布部を覆って前記線糊塗布部より広い幅で形成され、線糊塗布部の長手方向においては、所定の間隔を空けて複数個所に形成されていることを特徴とする。
【０００７】
本発明の重ね合わせシートによれば、対向する２枚の用紙の間に線糊塗布部と、線糊塗布部による接着力を弱める接着力緩和部を備え、線糊塗布部が、用紙の対向する２辺に渡って所定の幅で形成されており、接着力緩和部が、線糊塗布部の幅方向においては、線糊塗布部を覆って線糊塗布部より広い幅で形成され、線糊塗布部の長手方向においては、所定の間隔を空けて複数個所に形成されるようにしたので、局所的に強い接着力を維持するが、全体として弱い接着力となり、剥離可能で且つ狭幅の線糊を利用することが可能となる。
【０００８】
また、本発明に係る重ね合わせシートは、前記線糊塗布部の長手方向において所定の間隔を空けて複数個所に形成されている前記線糊塗布部は、前記線糊塗布部の長手方向において、前記線糊塗布部の３／４以上４／５以下の比率で形成されていることを特徴とする。
【０００９】
本発明の重ね合わせシートによれば、線糊塗布部の長手方向において所定の間隔を空けて複数個所に形成されている線糊塗布部が、線糊塗布部の長手方向において、線糊塗布部の３／４以上４／５以下の比率で形成されるようにしたので、全体としてより適切な接着力を実現することが可能となる。
【００１０】
また、本発明に係る重ね合わせシートは、前記線糊塗布部と前記接着力緩和部は、前記２枚の用紙のうち、一方の用紙に形成され、他方の用紙の前記接着力緩和部と対向する位置に、目止め部が形成され、前記一方の用紙と前記他方の用紙を重ね合わせることにより形成されることを特徴とする。
【００１１】
本発明の重ね合わせシートによれば、線糊塗布部と接着力緩和部が、２枚の用紙のうち、一方の用紙に形成され、他方の用紙の接着力緩和部と対向する位置に、目止め部が形成され、一方の用紙と他方の用紙を重ね合わせることにより形成されるようにしたので、接着力緩和部による線糊塗布部の接着力の緩和を適切に調整可能となる。
【００１２】
また、本発明に係る重ね合わせシートは、前記接着力緩和部が、剥離剤が混合されたインクを塗布することにより形成されていることを特徴とする。
【００１３】
本発明の重ね合わせシートによれば、接着力緩和部が、剥離剤が混合されたインクを塗布することにより形成されるようにしたので、汎用の印刷機により効率的に接着力緩和部を形成することが可能となる。
【００１４】
また、本発明に係る重ね合わせシートは、前記線糊塗布部は、０．２４５Ｎ（ニュートン）／ｍｍ以上の接着強度であることを特徴とする。
【００１５】
本発明の重ね合わせシートによれば、線糊塗布部は、０．２４５Ｎ／ｍｍ以上の接着強度としたので、接着力緩和部と重なっていない僅かな面積で適切な接着力を備えることが可能となる。
【発明の効果】
【００１６】
本発明によれば、製造面や品質に影響が出ず、剥離可能で且つ狭幅の線糊を利用した重ね合わせシートを提供することが可能となる。
【図面の簡単な説明】
【００１７】
【図１】本発明の一実施形態に係る重ね合わせシートである複写式帳票の各用紙を示す図である。
【図２】本発明の一実施形態に係る重ね合わせシートである複写式帳票を示す図である。
【図３】本発明の一実施形態に係る重ね合わせシートである複写式帳票における接着力緩和部の形成態様を示す図である。
【図４】強接着糊および弱接着糊の接着力測定を示す図である。
【発明を実施するための形態】
【００１８】
以下、本発明の好適な実施形態について、図面を参照して詳細に説明する。
＜１．重ね合わせシートの構成＞
図１は、本発明の一実施形態に係る重ね合わせシートを構成する各用紙を示す平面図である。本実施形態では、重ね合わせシートとして配送伝票等の複写式帳票を例にとって示している。図１（ａ）は第１用紙１１、図１（ｂ）は第２用紙１２、図１（ｃ）は第３用紙１３を示している。図１においては、各用紙はいずれも、第１用紙１１、第２用紙１２、第３用紙１３の順に上から重ねた場合に、上側から見た状態を示している。各用紙について上側から見た面を表面、下側から見た面を裏面として説明する。実際には、各用紙の表面には、例えば、配送伝票の場合、届け先、依頼主、品名、年月日等、配送に必要な事項を記入する欄が形成されているが、この点は従来の複写式帳票（配送伝票等）と同様であるので、図面が繁雑になるのを避けるため、ここでは、これらの記載を省略している。
【００１９】
最上紙となる第１用紙１１には、接着糊は塗布されておらず、第２用紙１２に塗布された接着糊により第２用紙１２と接着されるようになっている。図１（ｂ）に示すように、第２用紙１２の表面には、接着糊が線状に塗布されており、線糊塗布部２１を形成している。また、線糊塗布部２１の上側に重ねて、接着力緩和部２２が形成されている。図１（ｂ）においては、接着力緩和部２２により隠されているが、線糊塗布部２１は、第２用紙１２の上辺から下辺に渡って連続して形成されている。したがって、線糊塗布部２１の長さは、上辺と下辺の距離に相当する。また、線糊塗布部２１の幅（図面左右方向）は、１ｍｍ程度である。
【００２０】
接着力緩和部２２は、略矩形状の領域を形成しており、幅Ｈ（図面左右方向）は、３ｍｍ〜４ｍｍ程度である。接着力緩和部２２の幅は、線糊塗布部２１の幅に対して左右とも１ｍｍ〜１．５ｍｍ程度広くなるように形成する。この左右１ｍｍ〜１．５ｍｍの幅は、印刷のブレや線糊の余白を考慮したものである。このため、線糊塗布部２１の幅が１ｍｍの場合、接着力緩和部２２の幅Ｈは、３ｍｍ〜４ｍｍとなる。
【００２１】
接着力緩和部２２の上辺から下辺に向かう方向の長さＬ１と、線糊塗布部２１が露出している強接着部分の長さＬ２は、所定の条件を満たす範囲で適宜設定可能である。所定の条件としては、全ての接着力緩和部２２の長さＬ１の総和が、線糊塗布部２１の長さ（図１（ｂ）の例では、上辺と下辺の距離）の３／４以上４／５以下とする条件である。この条件を満たせば、形成する接着力緩和部２２の個数は適宜変更可能である。この条件とした理由については後述する。
【００２２】
最下紙となる第３用紙１３の表面には、第２用紙１２と同様、線糊塗布部２１と接着力緩和部２２が形成されている。第３用紙１３に形成される線糊塗布部２１と接着力緩和部２２は、第２用紙１２に形成される線糊塗布部２１及び接着力緩和部２２と同一の態様で形成される。
【００２３】
図１に示した第１用紙１１、第２用紙１２、第３用紙１３は、天地方向（図面上下方向）の長さおよび左右方向の長さがともに等しい矩形状であるので、４隅の位置を合わせることにより、４辺の位置を等しくして正確に重なる。正確に位置合わせが可能なことを利用して、第１用紙１１の裏面には、第１用紙１１と第２用紙１２を重ね合わせた際に、接着力緩和部２２が接する位置に、接着力緩和部２２と同一サイズの目止め部２３が形成されている。したがって、図１の例では、目止め部２３は、幅Ｈ、長さＬ１の矩形状であって、間隔Ｌ２を空けて形成されることになる。同様に、第２用紙１２の裏面には、第２用紙１２と第３用紙１３を重ね合わせた際に、接着力緩和部２２が接する位置に、接着力緩和部２２と同一サイズの目止め部２３が形成されている。
【００２４】
図１に示した第１用紙１１、第２用紙１２、第３用紙１３は、図２（ａ）に示すように、４隅を合わせて重ね合わされる。図２（ｂ）は、図２（ａ）のＡ−Ａ線に対応する断面図である。厳密には、図２（ａ）は重ね合わせの途中を示しているため、図２（ｂ）は、完全に重ね合わせた後の状態における線糊塗布部２１の形成位置に対応した断面図となっている。図２（ｂ）においては、層構成を簡潔に説明するため、現実の厚みの比率ではなく、全ての層を同一の厚みとして示している。
【００２５】
第１用紙１１と第２用紙１２の間においては、上述のように、第２用紙１２の上側に線糊塗布部２１が形成され、線糊塗布部２１の上側に重ねて、接着力緩和部２２が形成されている。また、第１用紙１１の下側においては、平面方向における接着力緩和部２２と同位置に、目止め部２３が形成されている。同様に、第２用紙１２と第３用紙１３の間においては、第３用紙１３の上側に線糊塗布部２１が形成され、線糊塗布部２１の上側に重ねて、接着力緩和部２２が形成されている。また、第２用紙１２の下側においては、平面方向における接着力緩和部２２と同位置に、目止め部２３が形成されている。目止め部２３を形成することにより、接着力緩和部２２を形成するために塗布された剥離インク等が用紙に染み込むことを防止している。
【００２６】
重ね合わせシートを構成する各用紙としては、配送伝票や申込書等、目的に応じた重ね合わせシートとして利用するために充分な強度と印刷適性及び搬送適性を有するものであれば使用でき、例えば、上質紙、クラフト紙、複写用紙、グラシン紙、パーチメント紙、レーヨン紙、コート紙、合成紙、樹脂フィルムによりラミネートされた紙等の紙や、セロファン、延伸ポリプロピレン、ポリエチレンテレフタレート、延伸ポリスチレン、ポリ塩化ビニル等の樹脂フィルムが好適に用いられる。
【００２７】
本実施形態の重ね合わせシートを構成する各用紙は、複写構造を有している。第１用紙１１、第２用紙１２、第３用紙１３の複写構造としては、公知のノーカーボン紙や裏カーボンインキ層による複写構造を用いることができる。ノーカーボン紙を用いる場合、第１用紙１１として上用紙、第２用紙１２として中用紙、第３用紙１３として下用紙を用いる。裏カーボンインキ層を用いる場合、カーボンインキ層を第１用紙１１、第２用紙１２の裏面（下側）に形成する。
【００２８】
線糊塗布部２１に塗布する強接着糊としては、酢酸ビニル、エチレン−酢酸ビニル共重合体、アクリル系等のエマルジョンタイプ、EVA、ワックス系等のホットメルトタイプ、アクリル系等の溶液接着剤等、用紙間の剥離を困難に接着する公知の接着糊を用いることができる。本実施形態では、エマルジョンタイプの接着糊を用いている。また、本実施形態では、線糊塗布部２１に塗布する接着糊が剥離困難な強接着性を有する必要があるため、０．２４５Ｎ（ニュートン）／ｍｍ以上の接着強度のものを採用している。０．２４５Ｎ／ｍｍ未満であると、上述のように、製造工程において太幅で塗布した後、カットを行うため、作業効率や品質に影響が生じる可能性が高まるためである。
【００２９】
接着力緩和部２２は、剥離剤が混合されたインクである剥離インクを印刷により塗布することにより形成することができる。剥離剤および剥離インクとしては、公知のものを適宜調整して用いることができる。目止め部２３としては、透明インクであるメジウムや、剥離剤を塗布することにより形成することができる。
【００３０】
＜２．接着力緩和部の形成態様について＞
次に、接着力緩和部２２の形成態様を、どのように決定するかについて説明する。線糊塗布部２１に塗布された強接着糊は、上述のように接着力が強いため、接着力緩和部２２を設けなければ、用紙を破損せずに分離することが難しい。そこで、接着力緩和部２２を設けて接着力を緩和することになる。接着力の緩和の程度を決めるため、まず、一般的な強接着糊と弱接着糊の接着力測定を行った。図４（ａ）は、接着力測定に用いた試験片を示す図である。図４（ａ）に示すように、試験片は長さ１００ｍｍ、幅７．０ｍｍであって、試験長は８０ｍｍである。また、糊幅は、強接着糊については、図４（ａ）に示すように、１．０ｍｍとし、弱接着糊については、２．０ｍｍとした。また、測定ピッチは１．０ｍｍとした。
【００３１】
測定は、強接着糊については、紙剥け（用紙間剥離）、弱接着糊については、紙剥けのない剥離（層間剥離）について行った。図４（ｂ）は、接着力の測定結果を示す図である。図４（ｂ）に示すように、強接着糊、弱接着糊について、それぞれ２回ずつ測定し、その平均値（ａｖｅ）を取得した。強接着糊の場合、２回の最小値の平均である最小値（ａｖｅ）が、０．２６０４Ｎ（ニュートン）／ｍｍであった。弱接着糊の場合、２回の最大値の平均である最大値（ａｖｅ）が、０．０９７１Ｎ／ｍｍであった。
【００３２】
この測定結果から、弱接着糊の最大値の、強接着糊の最小値に対する比率である０．０９７１／０．２６０４より小さい値である１／４以下に抑える必要があることが導き出される。また、あまり接着力が弱くなり過ぎると、予期せず剥がれてしまうという事態が起こるため、下限を１／５としておく。そのため、接着力緩和部２２により、線糊塗布部２１の接着力を１／５以上１／４以下とすることが好ましい。
【００３３】
したがって、理論上は、強接着部分、すなわち、線糊塗布部２１のうち接着力緩和部２２に覆われていない部分が、線糊塗布部２１全体の１／５以上１／４以下とする必要がある。すなわち、接着力緩和部２２を、線糊塗布部２１の長手方向において、線糊塗布部２１の３／４以上４／５以下の比率で形成する必要がある。極端な例としては、図３（ａ）に示すように、長手方向の長さが線糊塗布部２１の４／５となる接着力緩和部２２を１つだけ形成する設計がある。この場合、線糊塗布部２１のうち接着力緩和部２２に覆われていない部分が、線糊塗布部２１全体の１／５となり、全体の接着力は、線糊塗布部２１だけの場合の接着力の１／５に低下する。ただし、図３（ａ）のような偏った設計だと、強接着部分をきっかけに用紙が破れてしまう可能性が大きい。
【００３４】
そこで、図３（ｂ）に示すように接着力緩和部２２を、所定の間隔を空けて複数個所形成することにより、強接着部分と接着力が軽減される部分が交互になるようにする。強接着部分は幅（図面左右方向）１ｍｍとした場合、天地長さ（図面上下方向）は１〜２ｍｍ程度が好ましい。接着力緩和部２２の天地長さは、強接着部分の天地長さの３倍〜４倍とする必要があるので、強接着部分の天地長さが１〜２ｍｍ程度の場合、接着力緩和部２２の天地長さを３〜８ｍｍ程度とすることが好ましい。
【００３５】
また、線糊塗布部２１の両端部分、すなわち上辺、下辺と接する部分の接着力が強いと、剥離時に用紙が破れ易いため、線糊塗布部２１の両端部分は接着力が弱くなるように接着力緩和部２２を形成する。図１（ｂ）（ｃ）や図３（ｂ）の例では、接着力緩和部２２が５個形成された状態を示しているが、実際には、線糊塗布部２１の長さ、および強接着部分の天地長さに応じて接着力緩和部２２の個数は変化する。
【００３６】
以上、本発明の好適な実施形態について説明したが、本発明は、上記実施形態に限定されず、種々の変形が可能である。例えば、上記実施形態では、重ね合わせシートとして、複写式帳票の場合について説明したが、複写構造を有していない複数の用紙を単に剥離可能に重ね合わせたものであってもよい。
【００３７】
また、上記実施形態では、３枚の用紙が重ね合わせられた複写式帳票の場合について説明したが、本発明は、２枚構造であっても、４枚以上の構造であっても適用することが可能である。要するに、２枚以上の対向する用紙が存在すればよい。
【００３８】
また、上記実施形態では、第１用紙１１、第２用紙１２の下側においては、平面方向における接着力緩和部２２と同位置に、目止め部２３を形成するようにしたが、目止め部２３を形成しない構成とすることも可能である。
【産業上の利用可能性】
【００３９】
本発明の重ね合わせシートは、配送伝票や申込書等の複写式帳票、複写構造を有さない複数枚の用紙を重ねたシートを扱う産業に利用できる。
【符号の説明】
【００４０】
１１・・・第１用紙
１２・・・第２用紙
１３・・・第３用紙
２１・・・線糊塗布部
２２・・・接着力緩和部
２３・・・目止め部
Ｈ・・・接着力緩和部２２の幅
Ｌ１・・・接着力緩和部２２の長さ
Ｌ２・・・強接着部分（線糊塗布部２１が露出している部分）の長さ
【図１】
2015128836.tif 000003
【図２】
2015128836.tif 000004
【図３】
2015128836.tif 000005
【図４】
2015128836.tif 000006